(57)【特許請求の範囲】
【請求項１】
ハブ面上に流体の入口部から出口部にかけて周方向に複数枚を均等間隔に立設されたフルブレードと、互いに隣り合わせて設けられた前記フルブレードの間に形成される流路の途中から出口部にかけて設けられるスプリッタブレードとを備える遠心圧縮機の羽根車において、
前記遠心圧縮機は前記フルブレード先端とシュラウドとの間に翼端隙間が形成され、該翼端隙間から前記スプリッタブレードの前縁部に向かって発生する翼端漏れ渦に対して、大流量時に生成される前記翼端漏れ渦が前記スプリッタブレードの前縁部を乗り越えるように、若しくは前記翼端漏れ渦の方向に一致するように前記スプリッタブレードの前縁部のシュラウド側をフルブレードの周方向等間隔位置からフルブレードの負圧面側に寄せて配置し、前記スプリッタブレードの後縁部のハブ側をフルブレードの周方向等間隔位置からフルブレードの正圧面側に寄せて配置したことを特徴とする遠心圧縮機の羽根車。
【請求項２】
前記スプリッタブレードの前縁部のハブ側をフルブレードの周方向等間隔位置からフルブレードの正圧面側に寄せて配置したことを特徴とする請求項１記載の遠心圧縮機の羽根車。
【請求項３】
前記スプリッタブレードの後縁部のシュラウド側をフルブレードの周方向等間隔位置からフルブレードの負圧面側に寄せて配置したことを特徴とする請求項２記載の遠心圧縮機の羽根車。
【請求項４】
前記スプリッタブレードの前縁の流体流れに対向する傾斜角度を、前記スプリッタブレードの前縁と同一翼高さ位置でのフルブレードの傾斜角度より増大させて、前記翼端漏れ渦の流れ方向に適合させた方向に設定されることを特徴とする請求項１記載の遠心圧縮機の羽根車。
【発明の詳細な説明】
【技術分野】
【０００１】
本発明は、車両用、舶用ターボチャージャ等に用いられる遠心圧縮機の羽根車に関するものであり、特に、互いに隣り合うフルブレード（全翼）の間に設けられるスプリッタブレード（短翼）の翼形状に関するものである。
【背景技術】
【０００２】
車両用、舶用ターボチャージャのコンプレッサ部等に用いられる遠心圧縮機は、羽根車の回転を介して流体に運動エネルギーを与えるとともに、径方向外側に流体を吐出することで遠心力による圧力上昇を得るものである。この遠心圧縮機は広い運転範囲において高圧力比と高効率化が要求されるため、図２３、２４に示すような互いに隣り合うフルブレード（全翼）０１の間にスプリッタブレード（短翼）０３を設けたインペラ（羽根車）０５がよく用いられるとともに、その翼形状について様々な工夫がなされている。
【０００３】
このスプリッタブレード０３を有するインペラ０５は、フルブレード０１とスプリッタブレード０３がハブ０７面上に交互に設置されるが、一般的なスプリッタブレード０３は、フルブレード０１の上流側を単に切除した形状とされている。
一般的なスプリッタブレード０３の場合、図２５のように、フルブレード０１の入口端縁（ＬＥ１）より一定距離下流側にスプリッタブレード０３の入口端縁（ＬＥ２）が位置され、出口端縁（ＴＥ）は一致して設けられ、スプリッタブレード０３の入口端縁の翼角θ（入口端縁の方向とインペラ０５の軸方向Ｇとの成す角度として示す）は、フルブレード０１間の流路を流れる流体の流れ方向Ｆと同一に設定されている。
【０００４】
しかし、図２５のように、スプリッタブレード０３の入口端縁を、フルブレード０１間の周方向中心位置で、単にフルブレード０１の上流側を切除した形状としてスプリッタブレード０３を設計すると、スプリッタブレード０３の両側に形成されるフルブレード０１の正圧面Ｓａ側のスロート面積Ａ１と、負圧面Ｓｂ側のスロート面積Ａ２に、Ａ１＜Ａ２の差が生じることから、各流路の流量に不均一が生じ、流体を均等分配することができず、翼負荷が不均等となり流路損失も増えて、インペラ効率の向上が妨げられる問題があった。なお、スロート面積とは、図２５のようなスプリッタブレードの入口端縁からフルブレード０１の正圧面または負圧面までの最短距離をなす位置における断面積をいう。
【０００５】
そこで、特許文献１（特開平１０−２１３０９４号公報）に開示されている技術が知られおり、この特許文献1は、図２６のように、スプリッタブレード０９の入口端縁の翼角θを、θ＋Δθと大きく取る（流体の流れ方向Ｆに対してΔθ大きく設定する）ことで、すなわち、フルブレード０１の負圧面Ｓｂ側に寄せることで、スプリッタブレード０９の両側通路のスロート面積を同一（Ａ１＝Ａ２）とする工夫がなされている。
また、スプリッタブレードの入口端部を、フルブレードの負圧面側に傾けたものとして特許文献２（特許３８７６１９５号公報）についても知られている。
【０００６】
しかし、前記特許文献１（図２６）のように、スプリッタブレード０９の入口端縁の翼角θを、θ＋Δθと大きく取ることによって、スプリッタブレード０９の傾斜が大きくなった前縁部分やフルブレード０１の負圧面側Ｓｂからの剥離流の発生が懸念されるとともに、スプリッタブレード０９の正圧面側および負圧面側の両側通路でスロート面積を同一（Ａ１＝Ａ２）としても、該両通路で流速が相違することによって流量の均一化を図ることができなくなる問題があった。
【０００７】
すなわち、スプリッタブレード０９の両側、つまりフルブレード０１の正圧面側と負圧面側とで流速が異なることから、フルブレード０１の間に入ってきた流体は、主に負圧面側に速い流れが集まる分布となるため、スプリッタブレード０９の両側通路の流路断面積を幾何学的に等しくしても、負圧面側が正圧面側に比べて流速が速い分、流量が増え各流路の流量に不均一が生じ、流体を均等分配することができず、翼負荷が不均等となり流路損失も増えて、インペラ効率の向上が妨げられる問題があった。
【０００８】
さらに、特許文献３（特開２００２−３３２９９２号公報）に開示されている技術では、図２７に示すように、スプリッタブレード０１１の入口端縁の翼角θをそのままとして、前縁を敢えてフルブレード０１の負圧面側に偏倚させてＡ１＞Ａ２としている。これによって、スプリッタブレード０１１の両側通路における流量の均一化を図っている。
【先行技術文献】
【特許文献】
【０００９】
【特許文献１】特開平１０−２１３０９４号公報
【特許文献２】特許３８７６１９５号公報
【特許文献３】特開２００２−３３２９９２号公報
【発明の概要】
【発明が解決しようとする課題】
【００１０】
しかしながら、前記特許文献１〜３に示される技術はいずれも、ブレード（翼）間の流れがフルブレードに沿って流れるとの仮定の基に、スプリッタブレードにより分割される流路の流量配分に着目して、翼形状の改良がなされているものであり、翼端隙間を有するオープン型インペラの場合には、この翼端隙間から通路内に流入、または通路から流出する翼端漏れ流れの影響があり、流れ場は複雑な様相を呈しており、これら複雑な内部流動に適合するさらなる改良が必要であった。
【００１１】
その複雑な内部流動を数値解析により評価したところ、フルブレードの入口端縁の先端部（翼のハブ面からの高さ方向（シュラウド側）の先端部）から発生する漏れ渦がスプリッタブレードの入口端縁の先端部（翼のハブ面からの高さ方向（シュラウド側）の先端部）近傍に到達していることが明らかとなった（図２２の翼端漏れ流れＷの渦流を参照）。
【００１２】
この漏れ渦はフルブレードに沿って流れてはおらず、また、この漏れ渦は低エネルギー流体が集積する箇所であるため、これがスプリッタブレードの入口端縁に干渉すると剥離や渦構造の発生による損失生成が増大する。
すなわち、従来型インペラ構造ではこのフルブレードの入口端縁の先端からの漏れ渦とスプリッタブレードの入口端縁との干渉に対する対策がなされていないため、十分な性能が得られていなかった。
【００１３】
そこで、本発明は、これら問題に鑑みてなされたもので、流体の入口部から出口部にかけて互いに隣り合わせて設けられるフルブレードと、該フルブレードの間に流路の途中から出口部にかけて設けられるスプリッタブレードとを備えた遠心圧縮機の羽根車において、フルブレードの前縁の先端部からの翼端漏れ渦に対するスプリッタブレードの前縁の干渉を回避し、高圧力比、高効率化を達成する遠心圧縮機の羽根車を提供することを目的とする。
【課題を解決するための手段】
【００１４】
上記の課題を解決するために、本発明は、ハブ面上に流体の入口部から出口部にかけて周方向に複数枚を均等間隔に立設されたフルブレードと、互いに隣り合わせて設けられた前記フルブレードの間に形成される流路の途中から出口部にかけて設けられるスプリッタブレードとを備える遠心圧縮機の羽根車において、
前記遠心圧縮機は前記フルブレード先端とシュラウドとの間に翼端隙間が形成され、該翼端隙間から前記スプリッタブレードの前縁部に向かって発生する翼端漏れ渦に対して、大流量時に生成される前記翼端漏れ渦が前記スプリッタブレードの前縁部を乗り越えるように、若しくは前記翼端漏れ渦の方向に一致するように前記スプリッタブレードの前縁部のシュラウド側をフルブレードの周方向等間隔位置からフルブレードの負圧面側に寄せて配置したことを特徴とする。
【００１５】
かかる発明によれば、スプリッタブレードの前縁部のシュラウド側をフルブレードの周方向等間隔位置からフルブレードの負圧面側に寄せて配置することによって、翼端漏れ流れによって生じる翼端漏れ渦との干渉を確実に回避して、圧縮機の効率向上と特性改善が行われる。
【００１６】
フルブレード先端とシュラウドとの間に翼端隙間が形成されるオープン型インペラの場合、翼端隙間からスプリッタブレードに向かって翼端漏れ流れによる翼端漏れ渦が発生する。この翼端漏れ渦は強いブロッケージ効果を有するため、スプリッタブレード先端近傍（７０％翼スパン以上）では、フルブレード間を流れる流体はフルブレードに沿って流れずに、偏流が生じる。翼端漏れ渦は、強い渦流れを伴う低エネルギー流体の集積域である。このような流れがスプリッタブレードの前縁に干渉すると、剥離や渦構造の発生による損失生成が増大される。
そこで、本発明では、スプリッタブレードの前縁部のシュラウド側をフルブレードの周方向等間隔位置からフルブレードの負圧面側に寄せて配置することによって、翼端漏れ渦との干渉を回避している。
【００１７】
さらに、本発明では、漏れ渦位置は圧縮機の運転状態によって変化するため、その変化傾向を基に、小流量運転から大流量運転まで広い運転範囲において確実にスプリッタブレードの前縁部との干渉を確実に防止している。
【００１８】
すなわち、図２に示すように、大流量時には漏れ渦の流路貫通力は弱く、小流量時には漏れ渦の流路貫通力は強くなる傾向がある。これは、流量の増大に伴ってフルブレードの負圧面側の負圧が小流量時より大きくなるとともに、流路を流れる流量自体が増大するため、漏れ渦がフルブレードの負圧面側に偏るためである。
【００１９】
そこで、大流量の運転時に生成される翼端漏れ渦が、スプリッタブレードの前縁部を乗り越えるように、もしくは、翼端漏れ渦の方向と一致するように前記スプリッタブレードの前縁部のシュラウド側をフルブレードの周方向等間隔位置からフルブレードの負圧面側に寄せて設定することで、小流量時の運転においてもスプリッタブレードの前縁部との干渉を確実に防止でき、広い運転範囲にわたりスプリッタブレードの前縁部との干渉を防止することができ、圧縮機の効率を向上できる。
【００２０】
さらに、フルブレードおよびスプリッタブレードの周方向位置が不等ピッチとなることによって、遠心圧縮機の回転数とブレード枚数に起因する圧縮機の騒音低減効果も得られる。
例えば、図２１は縦軸に騒音ピーク値を、横軸に共振周波数をとったグラフであり、スプリッタブレードの周方向位置を１０％負圧面側に移動させた場合、スプリッタブレード間隔は、一方は従来の５０％から４０％に２割狭くなるため、周波数が２割高くなる。また、他方は従来の５０％から６０％に２割広がるため、周波数は２割低下する。結果的には、位相がずれることでピーク値がａからｂに低減（図２１（Ｂ））する。
【００２１】
また、本発明において好ましくは、さらに、前記スプリッタブレードの前縁部のハブ側をフルブレードの周方向等間隔位置からフルブレードの正圧面側に寄せて配置するとよい。
このように、スプリッタブレードの前縁部のシュラウド側をフルブレードの負圧面側に寄せて配置することに加えて、ハブ側をフルブレードの正圧面側に寄って配置させることによって、スプリッタブレードによって分割される流路のスロート幅に偏りが生じて、流量の不均一の原因となるが、かかる構成によって、この流量の不均一を解消して流量配分を均一にするように作用する。
従って、流路の断面積の不均一によって分割された流路に流量差が生じることによる性能低下が防止される。
【００２２】
また、本発明において好ましくは、さらに、前記スプリッタブレードの後縁部のシュラウド側をフルブレードの周方向等間隔位置からフルブレードの負圧面側に寄せて配置するとよい。
このように、前縁部のシュラウド側をフルブレードの等間隔の位置よりフルブレードの負圧面側に偏らせて設置したものに加えて、後縁部のシュラウド側をフルブレードの周方向等間隔位置からフルブレードの負圧面側に寄せて配置することによって、前縁部のシュラウド側だけを偏らせた場合には、スプリッタブレードによって分割される流路幅の前縁部と後縁部との前後の分布に偏りが生じ、前縁から後縁にかけて流速の不均一を生じる原因となるが、かかる構成によれば、分割されたそれぞれの流路における流速の増減速がなく流速を均一にして圧縮機の性能低下を防止できる。
【００２３】
また、本発明において好ましくは、さらに、前記スプリッタブレードの後縁部のハブ側をフルブレードの周方向等間隔位置からフルブレードの正圧面側に寄せて配置するとよい。
このように、前縁部のシュラウド側をフルブレードの等間隔の位置よりフルブレードの負圧面側に偏らせ、さらにハブ側をフルブレードの等間隔の位置よりフルブレードの正圧面側に偏らせて設置したものに加えて、後縁部において同様にシュラウド側をフルブレードの周方向等間隔位置からフルブレードの負圧面側に寄らせ、さらにハブ側をフルブレードの等間隔の位置よりフルブレードの正圧面側に偏らせて設置するものである。
【００２４】
これによって、前縁部のシュラウド側とハブ側だけを偏らせた場合には、スプリッタブレードによって分割される流路幅の前縁部と後縁部との前後の分布に偏りが生じて、前縁から後縁にかけて流速の不均一を生じる原因となるが、かかる構成によれば、分割されたそれぞれの流路における流速の増減速がなく流速を均一にすることができ。さらに、かかる構成によって、分割されたそれぞれの流路における流量配分の均一化も図れる。
従って、分割されたそれぞれの流路での流速の増減をなくすとともに、流量配分の均一化によって圧縮機の性能低下を防止できる。
【００２５】
また、本発明において、前記スプリッタブレードの前縁の流体流れに対向する傾斜角度を、前記スプリッタブレードの前縁と同一翼高さ位置でのフルブレードの傾斜角度より増大させて、前記翼端漏れ渦の流れ方向に適合させた方向に設定されるとよい。
大流量時には、漏れ渦がフルブレードの負圧面側に偏るため（図２参照）、この漏れ渦の傾斜角度に合わせるようにスプリッタブレードの前縁の迎い角度を、フルブレードのスプリッタブレードの前縁と同一翼高さ位置での傾斜角度より増大させて設定することで、翼端漏れ渦が強くなる小流量時に翼端漏れ渦との干渉を確実に、且つ効率良く回避することができるようになる。なお、翼端漏れ渦の方向は、数値解析または台上試験によって求める。
【発明の効果】
【００２６】
本発明によれば、ハブ面上に流体の入口部から出口部にかけて周方向に複数枚を均等間隔に立設されたフルブレードと、互いに隣り合わせて設けられた前記フルブレードの間に形成される流路の途中から出口部にかけて設けられるスプリッタブレードとを備える遠心圧縮機の羽根車において、前記遠心圧縮機は前記フルブレード先端とシュラウドとの間に翼端隙間が形成され、該翼端隙間から前記スプリッタブレードの前縁部に向かって発生する翼端漏れ渦に対して、大流量時に生成される前記翼端漏れ渦が前記スプリッタブレードの前縁部を乗り越えるように、若しくは前記翼端漏れ渦の方向に一致するように前記スプリッタブレードの前縁部のシュラウド側をフルブレードの周方向等間隔位置からフルブレードの負圧面側に寄せて配置したので、広い運転範囲においてフルブレードの前縁の先端部からの漏れ渦に対するスプリッタブレードの前縁の干渉を確実に回避して遠心圧縮機、高圧力比、高効率化を達成できる。
【図面の簡単な説明】
【００２７】
【図１】本発明のスプリッタブレードが設けられた遠心圧縮機の羽根車の要部を示す斜視図である。
【図２】第１実施形態のフルブレードとスプリッタブレードとの関係、および翼端漏れ渦の方向を示す説明図である。
【図３】第１実施形態のフルブレードとスプリッタブレードとの関係を示す説明図であり、シュラウド側周方向位置関係を示す。
【図４】第１実施形態のフルブレードとスプリッタブレードとの関係を示す説明図であり、ハブ側周方向位置関係を示す。
【図５】第１実施形態のスプリッタブレードの前縁形状を示す正面図である。
【図６】第１実施形態のスプリッタブレードの後縁形状を示す正面図である。
【図７】第２実施形態のフルブレードとスプリッタブレードとの関係を示す説明図であり、シュラウド側周方向位置関係を示す。
【図８】第２実施形態のフルブレードとスプリッタブレードとの関係を示す説明図であり、ハブ側周方向位置関係を示す。
【図９】第２実施形態のスプリッタブレードの前縁形状を示す正面図である。
【図１０】第２実施形態のスプリッタブレードの後縁形状を示す正面図である。
【図１１】第３実施形態のフルブレードとスプリッタブレードとの関係を示す説明図であり、シュラウド側周方向位置関係を示す。
【図１２】第３実施形態のフルブレードとスプリッタブレードとの関係を示す説明図であり、ハブ側周方向位置関係を示す。
【図１３】第３実施形態のスプリッタブレードの前縁形状を示す正面図である。
【図１４】第３実施形態のスプリッタブレードの後縁形状を示す正面図である。
【図１５】第４実施形態のフルブレードとスプリッタブレードとの関係を示す説明図であり、シュラウド側周方向位置関係を示す。
【図１６】第４実施形態のフルブレードとスプリッタブレードとの関係を示す説明図であり、ハブ側周方向位置関係を示す。
【図１７】第４実施形態のスプリッタブレードの前縁形状を示す正面図である。
【図１８】第４実施形態のスプリッタブレードの後縁形状を示す正面図である。
【図１９】第５実施形態のフルブレードとスプリッタブレードとの関係を示す説明図であり、シュラウド側周方向位置関係を示す。
【図２０】第５実施形態のフルブレードとスプリッタブレードとの関係を示す説明図であり、ハブ側周方向位置関係を示す。
【図２１】ブレード枚数に起因するコンプレッサ騒音の関係を示す説明図である。
【図２２】スプリッタブレードの入口端部の先端部に形成されるフルブレード先端部からの翼端漏れ流れを示す数値解析結果である。
【図２３】従来技術の説明図である。
【図２４】従来技術の説明図である。
【図２５】従来技術の説明図である。
【図２６】従来技術の説明図である。
【図２７】従来技術の説明図である。
【発明を実施するための形態】
【００２８】
以下、本発明を図に示した実施形態を用いて詳細に説明する。
但し、この実施形態に記載されている構成部品の寸法、材質、形状、その相対配置などは特に特定的な記載がない限り、この発明の範囲をそれのみに限定する趣旨ではなく、単なる説明例にすぎない。  
【００２９】
（第１実施形態）
図１は本発明のスプリッタブレードが適用される遠心圧縮機のインペラ（羽根車）の要部を示す斜視図である。インペラ１は、図示しないローター軸に嵌着されたハブ３の上面に複数の互いに隣り合うフルブレード（全翼）５と、そのフルブレード５の間に設けられるスプリッタブレード（短翼）７とが、周方向に等ピッチで交互に立設されている。そして、スプリッタブレード７は、フルブレード５よりも流体の流れ方向に対して長さが短く、前後のフルブレード５の間に形成される流路９の途中から出口部にかけて設けられている。インペラ１は矢印方向に回転し、その中心がＯで示される。
【００３０】
図２には、スプリッタブレード７とフルブレード５との関係をシュラウド側位置、すなわち翼先端側位置における配置関係を示す。
スプリッタブレード７のリーディングエッジである前縁７ａは、フルブレード５のリーディングエッジである前縁５ａより流れ方向下流側に位置して、スプリッタブレード７のトレーリングエッジの後縁７ｂと、フルブレード５のトレーリングエッジの後縁５ｂとの位置は周方向で一致して設けられている。
【００３１】
また、フルブレード５の正圧面Ｓａ側とフルブレード５の負圧面Ｓｂ側との間に形成される流路９をスプリッタブレード７によって周方向に二等分割するように位置され、スプリッタブレード７とフルブレード５の正圧面Ｓａ側の壁面との間に流路１１が形成され、負圧面側Ｓｂの壁面との間に流路１３が形成されている。
また、スプリッタブレード７の形状はフルブレード５に沿うようになっていて、スプリッタブレード７の前縁７ａの傾斜角度βはフルブレード５の傾斜角度と同一になっている。
【００３２】
このように構成されたインペラ１は、フルブレード５およびスプリッタブレード７を覆う図示しないシュラウドとの間に翼端隙間を有するオープン型インペラとして構成されている。
従って、フルブレード５の前縁の先端部分（シュラウド側）とシュラウドとの隙間部分を通って隣（回転方向前側）の流体通路のフルブレード５の正圧面側の流体がフルブレード５の負圧面側に漏れる翼端漏れ流れＷが生じる。
【００３３】
この翼端漏れ流れＷはスプリッタブレード７の前縁７ａの近傍の流れに影響を与えるため、この翼端漏れ流れＷの状態について数値解析を行った。その数値解析結果の流れ線図を図２２に示す。
フルブレード５のリーディングエッジ５ａ部の先端部のシュラウドとの隙間部Ｂを通って翼端漏れ流れが生じる。この翼端漏れ流れＷは、図２２のように、強い渦流（翼端漏れ渦）を伴っており、フルブレード５に沿う流れに対して強いブロック作用を有するため、スプリッタブレード７の前縁７ａの近傍では、流れはフルブレード５に沿った流れとはならず、前記渦を核としてスプリッタブレード７の前縁に向かう偏流Ｍを生じる。
【００３４】
この翼端漏れ流れＷの向きは、図２に示すように、大流量時には、翼端漏れ流量が多くなるとともに負圧が増大しフルブレード５の負圧面側Ｓｂへ偏り線Ｘ方向となる傾向があり、小流量時には、翼端漏れ流量が少なくなるとともに負圧が減少しフルブレード５の負圧面Ｓｂ側から離れて線Ｙ方向となる傾向がある。
【００３５】
これは、大流量時には漏れ渦の流路貫通力は弱く、小流量時には漏れ渦の流路貫通力は強くなる傾向がある。流量の増大に伴ってフルブレードの負圧面側の負圧が小流量時より大きくなるとともに、流路を流れる流量自体が増大するため、漏れ渦がフルブレードの負圧面側に偏ると考えられる。なお、大流量時とはピーク効率時の流量を超える流量領域での運転時を意味する。
【００３６】
従って、大流量時に生成される翼端漏れ渦がスプリッタブレード７の前縁７ａのシュラウド側を乗り越えるように、またはほぼ対向（一致）するようにスプリッタブレード７の前縁７ａのシュラウド側をフルブレード５の周方向等間隔位置からフルブレード５の負圧面側Ｓｂに偏らせて配置されている。
ほぼ対向（一致）するようにとは、スプリッタブレード７の前縁７ａのシュラウド側の傾斜角度βと翼端漏れ渦の流れ方向とがほぼ一致して、渦流れとスプリッタブレード７の前縁７のシュラウド側とが干渉し合わない状態をいう。
【００３７】
スプリッタブレード７は、前側フルブレード５Ｆと後側フルブレード５Ｒとの間の中間部に位置され、その前縁７ａの位置についても前側フルブレート５Ｆと後側フルブレード５Ｒとの中間部に設定されている。スプリッタブレード７の前縁７ａの長さ方向の位置の設定には種々の手法がある。
【００３８】
例えば、図２に示されるように、効率ピーク点における翼端漏れ渦の向き、すなわち漏れ流れの方向を示す線Ｚを数値解析、または実機試験によって算出して、その線Ｚと前後のフルブレード５Ｆと５Ｒの中間点との交点として設定する場合。
または、後側フルブレード５Ｒの前縁５ａから該後側フルブレード５Ｒに隣接して回転方向前側に設けられる前側フルブレード５Ｆの負圧面側Ｓｂへの最小距離を形成する所謂スロートの中心位置と、前側フルブレード５Ｆの前縁５ａとを結んで形成されるラインを翼端漏れ渦の向きとして線Ｚとし、その線Ｚと前後のフルブレード５Ｆと５Ｒの中間点との交点として設定する場合がある。
何れ手法にしても、基準となる翼端漏れ渦の方向を示す基準となる線Ｚを求めて、そのラインと前後のフルブレード５Ｆと５Ｒの中間点との交点として設定される。
【００３９】
以上のようにして設定された、基準となるスプリッタブレード７の前縁７ａにおいて、シュラウド側の位置を、図２に示すような大流量時の翼端漏れ渦の方向を示す線Ｘ方向よりも前側フルブレード５Ｆ側に位置されるように、または、線Ｘ方向とほぼ対向するような位置に傾斜させる。
【００４０】
スプリッタブレード７の前縁７ａのシュラウド側の位置を、フルブレード５の負圧面側Ｓｂに寄せる具体例を図３〜６に示す。例えば、寄せ量を１０％とする。なお、図３はフルブレード５とスプリッタブレード７とのシュラウド側周方向位置関係を示す。図４はハブ側の周方向位置関係を示す。このように、後縁７ｂの部分は偏らせることなく前縁７ａのシュラウド側だけが前側フルブレード５Ｆの負圧面側Ｓｂに偏るように傾斜させている。
図５はスプリッタブレード７の前縁形状を示す正面図であり、図６はスプリッタブレード７の後縁形状を示す正面図であり、後縁７ｂは変化させていないが、前縁７ａのシュラウド側だけが前側フルブレード５Ｆの負圧面側Ｓｂに傾けている。
【００４１】
以上の第１実施形態によれば、翼端漏れ渦が弱い（前側フルブレード５Ｆの負圧面側Ｓｂに偏る傾向が強く、流路９を横切るように進む貫徹力が弱い）大流量側で生成される翼端漏れ渦が前記スプリッタブレードの前縁部を乗り越えるように設定して、翼端漏れ渦が強い小流量側での翼端漏れ渦の干渉を確実に防止することができる。
すなわち、図２に示すように、大流量側での実機による試験によって、スプリッタブレード７の前縁７ａの向い角度を設定することで広い運転範囲において確実に、翼端漏れ渦の干渉を確実に防止することができるようになる。
【００４２】
また、フルブレード５およびスプリッタブレード７の周方向位置が不等ピッチとなることによって、遠心圧縮機の回転数とブレード枚数に起因する圧縮機の騒音低減効果も得られる。
例えば、図２１に示すように、スプリッタブレードの周方向位置を１０％負圧面側に移動させた場合、スプリッタブレード間隔は、一方は従来の５０％から４０％に２割狭くなるため、周波数が２割高くなる。また、他方は従来の５０％から６０％に２割広がるため、周波数は２割低下する。結果的には、位相がずれることでピーク値がａからｂに低減（図２１（Ｂ））する。
【００４３】
（第２実施形態）
次に、図７〜１０を参照して、第２実施形態を説明する。
第２実施形態は、第１実施形態に加えてさらに、スプリッタブレード７の前縁７ａのハブ側を前後のフルブレード５Ｆ、５Ｒの周方向等間隔位置から後側フルブレード５Ｒの正圧面Ｓａ側に寄せて配置することに特徴がある。
【００４４】
図７に示すように、スプリッタブレード７の前縁７ａのシュラウド側を前側フルブレード５Ｆの負圧面Ｓｂ側に寄って位置し、さらに、図８に示すように前縁７ａのハブ側を後側フルブレード５Ｒの正圧面Ｓａ側に偏らせている。正圧面Ｓａ側および負圧面Ｓｂ側への偏り量はそれぞれ１０％として等しく設定されている。この偏り量は前述したように、予め、数値計算または試験によって、大流量時における偏り量として設定される。
【００４５】
図７、８、９のように後縁７ｂ側においては、シュラウド側およびハブ側共に偏らせることはなく、前後のフルブレード５Ｆ、５Ｒの中間部に設置されている。図９の前縁形状に示すように、スプリッタブレード７の前縁７ａの部分ではシュラウド側とハブ側とをそれぞれ反対方向に同量偏らせているため、スプリッタブレード７によって分割される流路１１、１３の夫々のスロート幅の不均一を解消して前縁７ａ部分の流量配分を均一にするように作用する。
従って、流路１１、１３の入口部分の断面積の不均一によって分割された流路に流量差が生じることによる性能低下が防止される。
【００４６】
（第３実施形態）
次に、図１１〜１４を参照して、第３実施形態を説明する。
第３実施形態は、第２実施形態に加えてさらに、スプリッタブレード７の後縁７ｂのシュラウド側を前後のフルブレード５Ｆ、５Ｒの周方向等間隔位置から前側フルブレード５Ｆの負圧面Ｓｂ側に寄せて配置することに特徴がある。
【００４７】
図１１に示すように、スプリッタブレード７の後縁７ｂのシュラウド側を前側フルブレード５Ｆの負圧面Ｓｂ側に寄って位置し、さらに、ハブ側は図１２に示すように前記第２実施形態と同様に前縁７ａのみを後側フルブレード５Ｒの正圧面Ｓａ側に偏らせて、シュラウド側は前後のフルブレード５Ｆ、５Ｒの周方向等間隔に位置している。正圧面Ｓａ側および負圧面Ｓｂ側への偏り量は前記第２実施形態と同様にそれぞれ１０％として等しく設定されている。
【００４８】
図１１、１２、１４のように後縁７ｂ側においては、シュラウド側のみを前側フルブレード５Ｆの負圧面Ｓｂ側に寄って偏らせている。
このように構成することによって、スプリッタブレード７の前縁７ａの部分ではシュラウド側とハブ側とをそれぞれ反対方向に同量偏らせているため、スプリッタブレード７によって分割される流路１１、１３のスロート幅の不均一を解消して前縁部分の流量配分を均一にするように作用する。
さらに、スプリッタブレード７によって分割される流路１１、１３の前縁部分と後縁部分との前後の分布に偏りが生じにくく、前縁から後縁にかけての流速の不均一が生じにくく、分割されたそれぞれの流路１１、１３における流速の増減速がなく流速を均一にでき、圧縮機の性能低下を防止できる。
【００４９】
（第４実施形態）
次に、図１５〜１８を参照して、第４実施形態を説明する。
第４実施形態は、第３実施形態に加えてさらに、スプリッタブレード７の後縁７ｂのハブ側を前後のフルブレード５Ｆ、５Ｒの周方向等間隔位置から後側フルブレード５Ｒの正圧面Ｓａ側に寄せて配置することに特徴がある。
【００５０】
図１５のように、シュラウド側の前縁７ａから後縁７ｂまでを１０％、前側フルブレード５Ｆの負圧面Ｓｂ側に偏らせ、さらに、図１６に示すように、ハブ側においても前縁７ａから後縁７ｂまでを１０％、後側フルブレード５Ｒの正圧面Ｓａ側に偏らせている。
【００５１】
このように構成することによって、前記第３実施形態で説明したように、スプリッタブレード７の前縁７ａの部分ではシュラウド側とハブ側とをそれぞれ反対方向に同量偏らせているため、スプリッタブレード７によって分割される流路１１、１３のスロート幅の不均一を解消して前縁部分の流量配分を均一にするように作用する。
さらに、第４実施形態においてはスプリッタブレード７の後縁７ｂの部分でもシュラウド側とハブ側とをそれぞれ反対方向に同量偏らせているため、スプリッタブレード７によって分割される流路１１、１３での流量配分の均一性が一層効果的に得られる。
【００５２】
また、前記第３実施形態ではシュラウド側だけスプリッタブレード７を前縁７ａから後縁７ｂまでを前側フルブレード５Ｆの負圧面Ｓｂ側に偏らせたが、第４実施形態においては、それに加えて、ハブ側も前縁７ａから後縁７ｂまで後側フルブレード５Ｒの正圧面Ｓａ側に偏らせたため、スプリッタブレード７によって分割される流路１１、１３の前縁から後縁への前後の分布に偏りが生じにくく、前縁から後縁にかけての流速の不均一が一層生じにくくなり、分割されたそれぞれの流路１１、１３における流速の増減速がなく、流速を、前記第３より一層均一化でき、圧縮機の性能低下を防止できる。
【００５３】
（第５実施形態）
次に、図１９、２０を参照して、第５実施形態を説明する。
この第５実施形態は、第４実施形態におけるスプリッタブレード７の前縁７ａのシュラウド側において流体流れに対向する傾斜角度（迎角度）を、スプリッタブレード７の前縁７ａに対応する前側フルブレード５Ｆまたは後側フルブレート５Ｒの傾斜角度より増大させて翼端漏れ渦の流れ方向に適合させた方向に設定されている。
【００５４】
図１９に示すように、第５実施形態はスプリッタブレード７の前縁７ａのシュラウド側の傾斜角度の設定にだけ適用される。その他ハブ側については前側または後側のフルブレード５Ｆ、５Ｒの対応する傾斜角度と同様の角度に設定されている。
図１９のように、スプリッタブレード７の前縁７ａのシュラウド側の迎角度は、対応する後側フルブレード５Ｒの傾斜角度βよりΔβ分大きく設定して、翼端漏れ流れＷへ適合させる迎い角度に設定できる。
【００５５】
すなわち、スプリッタブレード７の先端近傍のみにおいて局所的にスプリッタブレード７の前縁７ａの迎角度を変化させて流体流れに適合せさるので、前側または後側フルブレード５Ｆ、５Ｒのシュラウド側の同一翼高さ位置での傾斜角度βと同等に設定するものに比べて、高効率と、特性改善効果を簡単にかつ効果的に得られる。
【産業上の利用可能性】
【００５６】
本発明によれば、流体の入口部から出口部にかけて互いに隣り合わせて設けられるフルブレードと、該フルブレードの間に流路の途中から出口部にかけて設けられるスプリッタブレードとを備えた遠心圧縮機の羽根車において、フルブレードの前縁の先端部からの翼端漏れ渦に対するスプリッタブレードの前縁の干渉を広い運転範囲において回避し、高圧力比、高効率化を達成できるので、遠心圧縮機の羽根車に用いることに適している。
【符号の説明】
【００５７】
１      羽根車（インペラ）
３      ハブ
５      フルブレード
５ａ    フルブレードの前縁
５ｂ    フルブレードの後縁
５Ｆ    前側フルブレード
５Ｒ    後側フルブレード
７      スプリッタブレード
７ａ    スプリッタブレードの前縁
７ｂ    スプリッタブレードの後縁
９、１１、１３      流路
Ｂ      前側フルブレードの先端隙間
Ｆ      流路を流れる流体の流れ方向
Ｍ      偏流
Ｗ      翼端漏れ流れ
Ｓａ    フルブレードの正圧面
Ｓｂ    フルブレードの負圧面
β      スプリッタブレードの前縁の傾斜角度
【図１】
0005680396.tif 000002
【図２】
0005680396.tif 000003
【図３】
0005680396.tif 000004
【図４】
0005680396.tif 000005
【図５】
0005680396.tif 000006
【図６】
0005680396.tif 000007
【図７】
0005680396.tif 000008
【図８】
0005680396.tif 000009
【図９】
0005680396.tif 000010
【図１０】
0005680396.tif 000011
【図１１】
0005680396.tif 000012
【図１２】
0005680396.tif 000013
【図１３】
0005680396.tif 000014
【図１４】
0005680396.tif 000015
【図１５】
0005680396.tif 000016
【図１６】
0005680396.tif 000017
【図１７】
0005680396.tif 000018
【図１８】
0005680396.tif 000019
【図１９】
0005680396.tif 000020
【図２０】
0005680396.tif 000021
【図２１】
0005680396.tif 000022
【図２２】
0005680396.tif 000023
【図２３】
0005680396.tif 000024
【図２４】
0005680396.tif 000025
【図２５】
0005680396.tif 000026
【図２６】
0005680396.tif 000027
【図２７】
0005680396.tif 000028